(57)【要約】【課題】使用者が高齢者や幼児であっても、吸収体が、おむつまたは下穿きからはずれたり、よじれたりせず、また、万一はずれたり、よじれたりしても、それらのはずれ、よじれを容易に直すことができる尿取りパットを提供すること。【解決手段】おむつまたは下穿きの股部分に装着する尿取りパットであって、吸収体２と、この吸収体に予め貼りつけられ、吸収体２をおむつまたは下穿きの股部分に剥離可能な粘着体３とからなり、この粘着体が、おむつまたは下穿きの前後方向に長い縦粘着テープ状部４と、おむつまたは下穿きの後方で、左右方向に長く、縦粘着テープ状部４の後方部分と略Ｔ字を構成する横粘着テープ状部５とからなる尿取りパット１である。【選択図】図２
2005349089.tif 000002
【特許請求の範囲】
【請求項１】
おむつまたは下穿きの股部分に装着する尿取りパットであって、吸収体と、この吸収体に予め貼りつけられ、吸収体をおむつまたは下穿きの股部分に剥離可能な粘着体とからなり、
この粘着体が、おむつまたは下穿きの前後方向に長い縦粘着部と、おむつまたは下穿きの後方で、左右方向に長く、前記縦粘着部の後方部分と略Ｔ字を構成する横粘着部とからなることを特徴とする尿取りパット。
【請求項２】
縦粘着部と横粘着部とが、一連一体に形成されてなる請求項１に記載の尿取りパット。
【請求項３】
縦粘着部と横粘着部とが、別体で、一部分が重なるか、粘着される吸収体の面に平行に５〜２５ｍｍの間隙を有する請求項１に記載の尿取りパット。
【請求項４】
縦粘着部の前方部分と略Ｔ字を構成するもう一つの横粘着部を備えた請求項１〜３のいずれか一つに記載の尿取りパット。
【請求項５】
縦粘着部ともう一つの横粘着部とが、一連一体に形成されてなる請求項４に記載の尿取りパット。
【請求項６】
縦粘着部ともう一つの横粘着部とが、別体で、一部分が重なるか、粘着される吸収体の面に平行に５〜２５ｍｍの間隙を有する請求項４に記載の尿取りパット。
【請求項７】
さらに、粘着体の、おむつまたは下穿きに粘着するための粘着面に、使用時に剥離可能に予め貼りつけられて該粘着面を保護する保護紙を具備してなる請求項１〜６のいずれか一つに記載の尿取りパット。
【請求項８】
おむつまたは下穿きと、
これらおむつまたは下穿きの股部分に装着される尿取りパットであって、吸収体と、この吸収体に予め貼りつけられ、吸収体をおむつまたは下穿きの股部分に剥離可能な粘着体とからなる尿取りパットと
からなり、
粘着体が、おむつまたは下穿きの前後方向に長い縦粘着部と、おむつまたは下穿きの後方で、左右方向に長く、前記縦粘着部の後方部分と略Ｔ字を構成する横粘着部とからなることを特徴とする尿取りパットセット。
【請求項９】
縦粘着部の前方部分と略Ｔ字を構成するもう一つの横粘着部を備えた請求項８に記載の尿取りパット。
【請求項１０】
さらに、粘着体の、おむつまたは下穿きに粘着するための粘着面に、使用時に剥離可能に予め貼りつけられて該粘着面を保護する保護紙を具備してなる請求項８または９に記載の尿取りパットセット。
【請求項１１】
おむつまたは下穿きが、その股部分に、粘着体を剥離可能に粘着する剥離粘着層を備えてなる請求項８〜１０のいずれか一つに記載の尿取りパットセット。
【請求項１２】
おむつまたは下穿きが、穿きタイプのおむつである請求項８〜１１のいずれか一つに記載の尿取りパットセット。
【発明の詳細な説明】
【技術分野】
【０００１】
本発明は、尿取りパットに関し、さらに詳しくは、高齢者などの失禁用パット、幼児のおむつ用パットなどのごとく、おむつまたは下穿きの股部分に装着する尿取りパットに関する。
【背景技術】
【０００２】
この種の尿取りパットは、通常、尿を吸収するための吸収体と、この吸収体に予め貼りつけられ、吸収体をおむつまたは下穿きの股部分に剥離可能な粘着体とからなる。
この粘着体としては、例えば、使いすておむつの股部分に吸収体を粘着するための粘着剤層が提案され、この粘着剤層は、使いすておむつの前後方向に長いテープ状である（特許文献１参照）。
また、粘着体として、おむつ（紙おむつ）または下穿き（紙パンツ）の前後にそれぞれ大きく分離して位置するようにした粘着テープが提案されている。この粘着テープは、その前に位置する粘着体が横方向（左右方向）に長く、後ろに位置する粘着体は三角形またはおむつの前後方向にやや長く形成されている（実用新案登録文献２参照）。
【０００３】
しかし、これらの粘着剤層または粘着テープを備えたおむつまたは下穿きでは、使用者がその動作をコントロールできないか、動作が難しい高齢者や幼児である場合には、吸収体が、おむつまたは下穿きからはずれたり、よじれたりする欠点があった。特に穿きタイプのおむつでは、穿くときまたは上げるときに、吸収体が身体に擦れて、はずれたり、よじれたりし、修正が難しかった。
【０００４】
【特許文献１】特開平８−５２１７４号公報
【特許文献２】実用新案登録第３０４４８０２号公報
【発明の開示】
【発明が解決しようとする課題】
【０００５】
そこで、本発明は、使用者が高齢者や幼児であっても、吸収体が、おむつまたは下穿きからはずれたり、よじれたりするのを防止できる尿取りパットを提供することである。
【課題を解決するための手段】
【０００６】
本発明は、おむつまたは下穿きの股部分に装着する尿取りパットであって、吸収体と、この吸収体に予め貼りつけられ、吸収体をおむつまたは下穿きの股部分に剥離可能な粘着体とからなり、この粘着体が、おむつまたは下穿きの前後方向に長い縦粘着部と、おむつまたは下穿きの後方で、左右方向に長く、前記縦粘着部の後方部分と略Ｔ字を構成する横粘着部とからなることを特徴とする尿取りパットを提供する。
【発明の効果】
【０００７】
本発明に係る尿取りパットによれば、吸収体の粘着体が、おむつまたは下穿きの前後方向に長い縦粘着部と、おむつまたは下穿きの後方で、左右方向に長く、前記縦粘着部の後方部分と略Ｔ字を構成する横粘着部とからなり、おむつまたは下穿きの後方に略Ｔ字状粘着部分を備えているので、使用者が高齢者や幼児であっても、尿取りパットのはずれや、よじれを防止できる。
【発明を実施するための最良の形態】
【０００８】
本発明に係る尿取りパットは、吸収体と、この吸収体に予め貼りつけられ、吸収体をおむつまたは下穿きの股部分に剥離可能な粘着体とからなり、この粘着体が、おむつまたは下穿きの前後方向に長い縦粘着部と、おむつまたは下穿きの後方で、左右方向に長く、前記縦粘着部の後方部分と略Ｔ字を構成する横粘着部とからなることを特徴とする。
【０００９】
すなわち、本発明においては、粘着体が、縦粘着部の後方で該縦粘着部と略Ｔ字状をなす横粘着部とを併せて備えているが、この略Ｔ字状の形成は、縦粘着部と横粘着部とを一連一体に形成するか、別体で一部分が重なるようにするか、別体で僅かの間隙を持って近接するのが好ましい。
【００１０】
特に、縦粘着部と横粘着部とを一連一体に形成するか、別体で一部分が重なるようにすると、縦粘着部と横粘着部とが協働して吸収体を所定の位置にしっかり保持できる。また、幼児のごとく使用者の動きが激しい場合には、別体で、逆に粘着される吸収体の面に平行に５〜２５ｍｍ程度、好ましくは１０〜２０ｍｍの僅かの間隙を有すると、縦粘着部と横粘着部とが相互に引っ張り合わないようにし、それによって、よじれないようにすることができる。さらに、このように縦粘着部と横粘着部とが別体で僅かの間隙を持って近接するか、別体で一部分が重なるようにすると、両粘着部が一つの寸法・材料仕様のテープで製造し使用できるので、好都合である。
なお、吸収体は、女性用ではその後の吸収力を大きくし、男性用ではその前の吸収力を大きく設定される。そこで、縦粘着部に、その前方部分と略Ｔ字を構成するもう一つの横粘着部を備えると、吸収体の吸収力に前後で大小の差異があっても、男女兼用にできるので好ましい。このように略Ｔ字を構成する縦粘着部ともう一つの横粘着部とは、一連一体に形成されるか、別体で、一部分が重なるか（重なり：５〜１０ｍｍ）、粘着される吸収体の面に平行に５〜２５ｍｍ、好ましくは１０〜２０ｍｍの僅かの間隙を有するよう形成してもよい。
【００１１】
縦粘着部と横粘着部の各幅は、３０〜７０ｍｍに、好ましくは４０〜６０ｍｍに設定され、また縦粘着部が平行な二つの縦粘着片部からなるときは各粘着片部の幅を１５〜３５ｍｍに、間隙を５〜１０ｍｍに設定するのが好ましい。なお、縦粘着部の端辺と吸収体の対応する辺縁との間隔はできるだけ少ない方が好ましいが、通常２０ｍｍ以下に、横粘着部の両端辺と吸収体の対応する辺縁との間隔もできるだけ少ない方が好ましいが、通常    ２０ｍｍ以下にそれぞれ設定するのがより好ましい。
【００１２】
粘着体としては、通常、粘着材、または粘着剤と称されるものが使用でき、具体的基材としては、ゴム系、シリコーン系、シリコーン合成ゴム系、アクリル系、シリコーン含有アクリル系粘着材など、従来からファスニングテープとして用いられているものを挙げることができる。
さらに、粘着体の、おむつまたは下穿きに粘着するための粘着面に、使用時に剥離可能に予め貼りつけられて該粘着面を保護する保護紙（剥離紙またはセパレータ）を具備するとより好ましい。
本発明において、吸収体は、通常この分野で使用できるものであれば特に限定されないが、例えば、綿状パルプと高吸収性材料としての高吸収性ポリマー（デンプン系、セルロース系、合成ポリマー系などのもの）とからなるものが好ましいものとして挙げられ、そのほか水分吸収性に優れた不織布、重ねられたガーゼ、発泡体などが挙げられる。
【００１３】
本発明は、別の観点によれば、おむつまたは下穿きと、これらおむつまたは下穿きの股部分に装着される尿取りパットであって、吸収体と、この吸収体に予め貼りつけられ、吸収体をおむつまたは下穿きの股部分に剥離可能な粘着体とからなる尿取りパットとからなり、粘着体が、おむつまたは下穿きの前後方向に長い縦粘着部と、おむつまたは下穿きの後方で、左右方向に長く、前記縦粘着部の後方部分と略Ｔ字を構成する横粘着部とからなることを特徴とする尿取りパットセットを提供できる。
【００１４】
［実施の形態１］
図１は、本発明に係る尿取りパットの実施の形態１を前方から示す斜視図、図２は、実施の形態１を後方から示す図１相当図、図３は、実施の態様１について吸収体に粘着体を貼り付けた状態を説明する説明図である。
図１〜３において、おむつまたは下穿き（穿きタイプのおむつ、図示省略）の股部分に装着するための尿取りパットとしての失禁パット１は、吸収体２と、この吸収体に予め貼りつけられ、吸収体２をおむつまたは下穿きの股部分に剥離可能な粘着体（接着体）３とからなる。
【００１５】
吸収体２は、綿パルプと、デンプン系高吸収性ポリマーとしてデンプンーアクリル酸（塩）グラフト重合体とから構成され、尿を約１５０ｃｃ吸収できる。
粘着体３は、おむつまたは下穿きの前後方向に長い縦粘着部としての縦粘着テープ状部４と、おむつまたは下穿きの後方で、左右方向に長く、縦粘着テープ状部４の後方部分と略Ｔ字を一連一体に構成する横粘着部としての横粘着テープ状部５とからなる。
なお、おむつまたは下穿きには、その裏面に粘着体３を剥離可能に粘着できる剥離粘着層（図示省略）を形成している。
【００１６】
かくして、失禁パット１は、特に、粘着体３の後方に略Ｔ字状の縦・横粘着テープ状部４・５を備えているので、おむつまたは下穿きと吸収体２の後方での粘着が強く、穿くときまたは上げるときに、吸収体２が使用者の身体に擦れても、おむつまたは下穿きからはずれたり、よじれたりするのを防止できる。使用者が高齢者や幼児であっても（足が不自由でつかまり立ちしかできないか、片手しか使えなくても）、おむつまたは下穿きからはずれたり、よじれたりするのを防止できるので好都合である。
そして、吸収体２が尿を吸収すると、吸収体２の粘着体３がおむつまたは下穿きの剥離粘着層に剥離可能に接合しているだけなので、吸収体２を粘着体３と共におむつまたは下穿きから容易に剥離させ、捨てることができる。そして、そのおむつまたは下穿きには、新しい吸収体を装着できる。このように、おむつまたは下穿きは、使い捨て方式であっても、汚れない限りは、複数の吸収体を交換して使用できる。
【００１７】
ここで、失禁パット１の各構成要素の材料、寸法などの例を挙げる。
吸収体２：自由状態での厚み：５〜８ｍｍ、縦：２５０〜３００ｍｍ、横：約１５０ｍｍ、
縦粘着テープ状部４：シリコーン含有アクリル系粘着材、幅：約４０ｍｍ、長さ：２２０ｍｍ、
横粘着テープ状部５：シリコーン含有アクリル系粘着材、幅：約４０ｍｍ、長さ：９０ｍｍ、そして
おむつの剥離粘着層：通常セパレータと称される油紙。
【００１８】
［実施の形態２］
図４は、実施の形態２について吸収体に粘着体を貼り付けた状態を説明する説明図である。
図４において、尿取りパットとしての失禁パット１１は、吸収体１２と、この吸収体に予め貼りつけられ、吸収体２をおむつまたは下穿きの股部分に剥離可能に接合するための粘着体１３とからなる。
そして、吸収体１２は、綿パルプと、デンプン系高吸収性ポリマーとしてデンプンーアクリル酸（塩）グラフト重合体とから構成されている。
【００１９】
粘着体１３は、おむつまたは下穿きの前後方向に長い縦粘着部としての縦粘着テープ状部１４と、おむつまたは下穿きの後方で、左右方向に長く、縦粘着テープ状部１４の後方部分と略Ｔ字を構成する横粘着部としての横粘着テープ状部１５とからなる。
１６は縦粘着テープ状部１４の後方部分と横粘着テープ状部１５の中央部分とが重なる部分（約７ｍｍ）であり、これによって両粘着テープ状部１４・１５が相互に粘着力を分散し、強固に吸収体１２をおむつまたは下穿きに取付けられる。
【００２０】
かくして、失禁パット１１は、特に、粘着体１３の後方に略Ｔ字状の縦・横粘着テープ状部１４・１５を備えているので、おむつまたは下穿きと吸収体１２の後方での粘着が強く、使用者が高齢者や幼児であっても、吸収体１２が、おむつまたは下穿きからはずれたり、よじれたりするのを防止できる。
【００２１】
［実施の形態３］
図５は、本発明に係る尿取りパットの実施の形態３として、吸収体に粘着体および保護紙を貼り付けた状態を後方から示す斜視図である。
図５において、尿取りパットとしての失禁パット２１は、吸収体２２と、この吸収体に予め貼りつけられ、吸収体２２をおむつまたは下穿きの股部分に剥離可能に接合するための粘着体２３と、この粘着体に剥離可能に接合される保護紙２７とからなる。
吸収体２２は、綿パルプと、デンプン系高吸収性ポリマーとしてデンプンーアクリル酸（塩）グラフト重合体とから構成されている。
【００２２】
粘着体２３は、おむつまたは下穿きの前後方向に長い縦粘着部としての縦粘着テープ状部２４と、おむつまたは下穿きの後方で、左右方向に長く、縦粘着テープ状部２４の後方部分と略Ｔ字を一体に構成する横粘着部としての横粘着テープ状部２５とからなる。なお、２７は縦・横粘着テープ状部２４・２５を保護する保護紙であり、２８は保護紙２７の剥離用片である。
【００２３】
かくして、保護紙２７は、その剥離用片２８を引張ることによって粘着体２３から容易に剥離し、吸収体２２を、粘着体２３を介しておむつ（図示省略）にしっかり取り付けられる。
失禁パット２１は、特に、粘着体２３の後方に略Ｔ字状の縦・横粘着テープ状部２４・２５を備えているので、おむつまたは下穿きと吸収体２２の後方での粘着が強く、使用者が高齢者や幼児であっても、吸収体２２が、おむつまたは下穿きからはずれたり、よじれたりするのを防止できる。
【００２４】
［実施の形態４］
図６は、本発明の実施の形態４について吸収体に粘着体を貼り付けた状態を説明する説明図である。
図６において、尿取りパット３１は、吸収体３２と、この吸収体に予め貼りつけられ、吸収体３２をおむつまたは下穿きの股部分に剥離可能に接合するための粘着体３３と、この粘着体に剥離可能に粘着される保護紙（図示省略）とからなる。
吸収体３２は、綿パルプと、デンプン系高吸収性ポリマーとしてデンプンーアクリル酸（塩）グラフト重合体とから構成されている。
【００２５】
粘着体３３は、おむつまたは下穿きの前後方向に長い縦粘着部としての縦粘着テープ状部３４と、おむつまたは下穿きの後方で、左右方向に長く、縦粘着テープ状部３４の後方部分と略Ｔ字を構成する横粘着部としての横粘着テープ状部３５とからなる。特に、粘着体３３の後方に略Ｔ字状の縦粘着テープ状部３４・横粘着テープ状部３５を備えているので、おむつまたは下穿きと吸収体３２の後方での粘着が強く、使用者が高齢者や幼児であっても、吸収体が、おむつまたは下穿きからはずれたり、よじれたりするのを防止できる。
【００２６】
これらの縦粘着テープ状部３４と横粘着テープ状部３５とは、別体で僅かの間隙（Ｓ：約１０ｍｍ）を持って近接し、従って縦粘着テープ状部３４と横粘着テープ状部３５とが相互に引っ張り合わないようにし、それによってはずれたり、よじれたりしないようにすることができると共に、両粘着部が一つの寸法・材料仕様のテープで製造し使用できるので、好都合である。
【００２７】
［実施の形態５］
図７は、本発明の実施の形態５について吸収体に粘着体を貼り付けた状態を説明する説明図である。
図７において、尿取りパット４１は、吸収体４２と、この吸収体に予め貼りつけられ、吸収体４２をおむつまたは下穿きの股部分に剥離可能に接合するための粘着体４３と、この粘着体に剥離可能に粘着される保護紙（図示省略）とからなる。
吸収体４２は、綿パルプと、デンプン系高吸収性ポリマーとしてデンプンーアクリル酸（塩）グラフト重合体とから構成されている。
【００２８】
粘着体４３は、おむつまたは下穿きの前後方向に長い縦粘着部としての縦粘着テープ状部４４と、おむつまたは下穿きの後方で、左右方向に長く、縦粘着テープ状部４４の後方部分と略Ｔ字を構成する横粘着部としての横粘着テープ状部４５と、おむつまたは下穿きの前方で、左右方向に長く、縦粘着テープ状部４４の前方部分と略Ｔ字を構成するもう一つの横粘着部としての横粘着テープ状部４９とからなる。これらの縦粘着テープ状部４４と横粘着テープ状部４５・４９とは、一体で構成されているので、おむつまたは下穿きと吸収体４２の後方での粘着が強く、使用者が高齢者や幼児であっても（足が不自由でつかまり立ちしかできないか、片手しか使えなくても）、吸収体４２が、おむつまたは下穿きからはずれたり、よじれたりするのを防止できる。
【００２９】
さらに、この吸収体４２は、女性用ではその後の吸収力を大きくし、男性用ではその前の吸収力を大きく設定されるが、縦粘着部４４に、その前方部分および後方部分とそれぞれ略Ｔ字を構成する二つの横粘着部４９・４５を備えると、吸収体４２の吸収力に前後で大小の差異があっても、男女兼用にできる。
【産業上の利用可能性】
【００３０】
本発明に係る尿取りパットは、高齢者などの失禁用パット、幼児のおむつ用パットなどのごとく、おむつまたは下穿き、特に穿きタイプの尿取りパットの股部分に装着し、主として尿を取る（吸収体に吸収して取り出せる）尿取りパットである。さらに、幼児用や高齢者などの尿取りパットだけではなく、一般の大人の失禁用、生理用または治療用の尿取りパットとしても適用できる。
【図面の簡単な説明】
【００３１】
【図１】本発明に係る尿取りパットの実施の形態１を前方から示す斜視図である。
【図２】実施の形態１を後方から示す図１相当図である。
【図３】実施の態様１の吸収体に粘着体を貼り付けた状態を説明する説明図である。
【図４】実施の形態２の吸収体に粘着体を貼り付けた状態を説明する説明図である。
【図５】本発明に係る尿取りパットの実施の形態３として、吸収体に粘着体および保護紙を貼り付けた状態を後方から示す斜視図である。
【図６】実施の形態４の吸収体に粘着体を貼り付けた状態を説明する説明図である。
【図７】実施の形態５の吸収体に粘着体を貼り付けた状態を説明する説明図である。
【符号の説明】
【００３２】
１    尿取りパット
２    吸収体
３    粘着体
４    縦粘着テープ状部（縦粘着部）
５    横粘着テープ状部（横粘着部）
【図１】
2005349089.tif 000003
【図２】
2005349089.tif 000004
【図３】
2005349089.tif 000005
【図４】
2005349089.tif 000006
【図５】
2005349089.tif 000007
【図６】
2005349089.tif 000008
【図７】
2005349089.tif 000009